(57)【要約】  不動産のオンライン地理的表示で特徴のグループを識別し、広告情報で特徴のグループを置換及び/又は補強する方法が開示される。方法は、オンライン財産管理システムの中に財産の地理的表示を提供するステップと、不動産領域の少なくとも一部を含む地理的表示において関心領域を識別するステップと、不動産領域の上に配置された地理的表示の中の１又は複数の販売促進特徴の位置を決めるために地理的表示を分析するステップと、地理的表示における関心領域に関連付けられたユーザが選択可能なリンクを提供するステップと、ユーザが選択可能なリンクを介して地理的表示における関心領域についてリクエストを受信するステップと、関心領域の動き又は外観のうちの少なくとも１つを変更するためのデータを受信するステップと、地理的表示と関連してデータを格納するステップと、受信されたデータに基づき地理的表示の中の関心領域を更新するステップとを含む。
2011527483.tif 000002
【特許請求の範囲】
【請求項１】
１又は複数の不動産領域を管理するためのコンピュータ実行方法であって、
オンライン財産管理システムの中に財産の地理的表示を提供するステップと、
不動産領域の少なくとも一部を含む前記地理的表示において関心領域を識別するステップと、
不動産領域に配置された前記地理的表示の中の１又は複数の販売促進特徴の位置を決めるために前記地理的表示を分析するステップと、
前記地理的表示における前記関心領域に関連付けられたユーザが選択可能なリンクを提供するステップと、
前記ユーザが選択可能なリンクを介して、前記地理的表示における前記関心領域についてリクエストを受信するステップと、
前記関心領域の動き又は外観のうちの少なくとも１つを変更するためのデータを受信するステップと、
前記地理的表示と関連して、前記データを格納するステップと、
前記受信されたデータに基づき、前記地理的表示の中の前記関心領域を更新するステップと
を含む方法。
【請求項２】
前記データを受信するステップは、１又は複数の画像を受信するステップを含むことを特徴とする請求項１に記載の方法。
【請求項３】
前記受信されたデータに基づき、前記関心領域を更新するステップは、前記関心領域を、前記受信されたデータの中に提供された画像と置換するステップを含むことを特徴とする請求項２に記載の方法。
【請求項４】
前記１又は複数の販売促進特徴は、サイン、ポスター、バナー、又は、広告板のうちの１又は複数を含むことを特徴とする請求項１に記載の方法。
【請求項５】
コンピュータ読み取り可能な記録媒体であって、
オンライン財産管理システムの中に財産の地理的表示を提供するステップと、
不動産領域の少なくとも一部を含む前記地理的表示において関心領域を識別するステップと、
不動産領域に対応する前記地理的表示の中の１又は複数の販売促進特徴の位置を決めるために前記地理的表示を分析するステップと、
前記地理的表示における前記関心領域に関連付けられたユーザが選択可能なリンクを提供するステップと、
前記ユーザが選択可能なリンクを介して、前記地理的表示における前記関心領域についてリクエストを受信するステップと、
前記関心領域の動き又は外観のうちの少なくとも１つを変更するためのデータを受信するステップと、
前記地理的表示と関連して、前記データを格納するステップと、
前記受信されたデータに基づき、前記地理的表示の中の前記関心領域を更新するステップと
を実行させるためのコンピュータ実行可能命令を記録したコンピュータ読み取り可能な記録媒体。
【請求項６】
前記データを受信するステップは、１又は複数の画像を受信するステップを含むことを特徴とする請求項５に記載のコンピュータ読み取り可能な記録媒体。
【請求項７】
前記受信されたデータに基づき、前記関心領域を更新するステップは、前記関心領域を、前記受信されたデータの中に提供された画像と置換するステップを含むことを特徴とする請求項５に記載のコンピュータ読み取り可能な記録媒体。
【請求項８】
前記１又は複数の販売促進特徴は、サイン、ポスター、バナー、又は、広告板のうちの１又は複数を含むことを特徴とする請求項５に記載のコンピュータ読み取り可能な記録媒体。
【請求項９】
１又は複数の不動産領域を管理するためのコンピュータ実行方法であって、
オンライン財産管理システムの中に地理的表示を提示するステップであって、前記地理的表示は別々の関心領域を有するステップと、
前記別々の関心領域のうちの１つを識別する入力を受信するステップと、
前記地理的表示の中の前記識別された別々の関心領域を分析するステップと、
前記識別された別々の関心領域が不動産領域に位置することを証明することによって、前記識別された別々の関心領域をユーザが変更することができることを検証するステップと、
前記地理的表示と関連して、前記識別された別々の関心領域の位置を格納するステップと
を含む方法。
【請求項１０】
前記識別された別々の関心領域の動き又は外観のうちの少なくとも１つを変更するためのデータを受信するステップをさらに含むことを特徴とする請求項９に記載の方法。
【請求項１１】
前記データを受信するステップは、１又は複数の画像を受信するステップを含むことを特徴とする請求項１０に記載の方法。
【請求項１２】
前記受信されたデータを格納し、かつ、前記受信されたデータに基づき前記識別された別々の関心領域を更新するステップをさらに含むことを特徴とする請求項１０に記載の方法。
【請求項１３】
前記識別された別々の関心領域をユーザが変更することができることを検証するステップは、前記識別された別々の関心領域が前記ユーザに所属する不動産領域の中に位置することを証明するステップを含むことを特徴とする請求項９に記載の方法。
【請求項１４】
前記識別された別々の関心領域を記述したデータを受信するステップをさらに含む請求項９に記載の方法。
【請求項１５】
前記識別された別々の関心領域を記述したデータを受信するステップは、公開入札への前記識別された別々の関心領域の利用可能性に関するデータを受信するステップを含むことを特徴とする請求項１４に記載の方法。
【請求項１６】
前記受信されたデータは、ビジネス又は住居に関する情報を含むことを特徴とする請求項１４に記載の方法。
【請求項１７】
コンピュータ読み取り可能な記録媒体であって、
オンライン財産管理システムの中に地理的表示を提示するステップであって、前記地理的表示は１又は複数の別々の関心領域を有するステップと、
別々の関心領域を識別する入力を受信するステップと、
前記地理的表示の中の前記識別された別々の関心領域を分析するステップと、
前記識別された別々の関心領域が不動産領域に位置することを証明することによって、前記識別された別々の関心領域をユーザが変更することができることを検証するステップと、
前記地理的表示と関連して、前記識別された別々の関心領域の位置を格納するステップと
を実行させるためのコンピュータ実行可能命令を記録したコンピュータ読み取り可能な記録媒体。
【請求項１８】
前記識別された別々の関心領域を変更するためのデータを受信する追加のステップを実行するための請求項１７に記載のコンピュータ読み取り可能な記録媒体。
【請求項１９】
前記識別された別々の関心領域を記述したデータを受信する追加のステップを実行するための請求項１７に記載のコンピュータ読み取り可能な記録媒体。
【請求項２０】
前記識別された別々の関心領域を記述したデータを受信するステップは、公開入札への前記識別された別々の関心領域の利用可能性に関するデータを受信するステップを含むことを特徴とする請求項１９に記載のコンピュータ読み取り可能な記録媒体。
【請求項２１】
オンライン財産管理システム方法の中で１又は複数の不動産領域を管理するためのコンピュータ実行方法であって、
画像を含むデータを受信するステップと、
前記受信された画像に類似したサイズ比を有する１又は複数の地理的表示の中の１又は複数の利用可能な別々の関心領域の位置を決めるステップと、
前記１又は複数の利用可能な別々の関心領域を提示するステップと、
前記１又は複数の利用可能な別々の関心領域について入札を受信するステップと
を含む方法。
【請求項２２】
前記１又は複数の利用可能な関心領域の位置を決めるステップに使用するために、地理的表示を受信するステップをさらに含むことを特徴とする請求項２１に記載の方法。
【請求項２３】
前記１又は複数の利用可能な別々の関心領域について提案された入札を提示するステップをさらに含むことを特徴とする請求項２１に記載の方法。
【発明の詳細な説明】
【技術分野】
【０００１】
本発明は、一般に、オンライン広告に関する。
【背景技術】
【０００２】
双方向メディア(例えば、インターネット)は、受け入れ可能な観衆への広告(ad)のターゲティングを向上させるのに役立つ。広告は、バナー広告、１又は複数のテキストボックスのセット、ビデオ広告、オーディオ広告などとして提示することができる。例えば、一部のウェブサイトは、情報を探すユーザにより入力されたキーワードに基づく情報サーチ機能を提供する。このユーザクエリーは、ユーザに関心のある情報のタイプの指標であり得る。ユーザクエリーと広告主により指定されたキーワードのリストとを比較することによって、ユーザにターゲット化された広告を提供することができる。
【０００３】
オンライン広告の他の形態は広告シンジケートであり、広告主は、追加的なパートナーへコンテキスト広告を配布することによって、広告主の市場範囲を拡大することができる。例えば、第３者のオンライン発行者が、所望の発行者コンテンツ内又はコンテンツに平行して広告主のテキスト又は画像広告を配置して、潜在的な顧客を動かして追加的な情報を探すようにさせることができる(例えば、広告主のウェブサイトへナビゲートするなど)。
【０００４】
コンテキスト広告システムでは、例えば、ブラウザウィンドウにおいてユーザへ表示されたコンテンツに基づき、広告が自動化システムによって選択および供給される。表示されたコンテンツが分析されて、コンテキストに最もマッチする広告をコンテンツディスプレイにターゲット化することができるように、情報(例えば、メイントピック)の「コンテキスト」を決定する。コンテキスト広告システムでは、コンテンツディスプレイのコンテキストが表示のための潜在的な広告のセットにマッチされると、オークションメカニズムが使用されて、ページ上に実際に現れる１又は複数の潜在的な広告を選択する。
【０００５】
双方向ウェブマッピングサービスを使用して、ユーザは入力位置に基づき地図をナビゲートすることができる。例えば、通りの住所の地図を、細かさ(例えば、ズームインおよびアウト)又はナビゲートされた方向性(例えば、北、東、南、西へのパンなど)について変更することができる。また、一部のウェブマッピングサービスは、位置間の運転方向をリクエストするサービスを提供する。
【０００６】
一部のウェブマッピングサービスにより提供される追加の機能は、ストリート位置のパノラマ表示を含むことができる。例えば、ユーザは、双方向ウェブマッピングサービスの中で、ストリートレベルの画像を見て、かつ/又はナビゲートすることができる。例えば、ストリートレベルの画像は、車両に取り付けられたカメラによって取得することができる。ストリートレベルの画像は、細かさおよび方向性ナビゲーションの選択肢を用いて、ウェブマッピングサービスと類似した方法でナビゲートすることができる。
【先行技術文献】
【非特許文献】
【０００７】
【非特許文献１】C. Schmid, R. Mohrand and C. Bauckhage, Evaluation of Interest Point Detectors, Int'l Journal of Computer Vision, 37(2), 151-172, 2000 (http://perception.inrialpes.fr/Publications/2000/SMB00)
【発明の概要】
【課題を解決するための手段】
【０００８】
１つの一般的な態様によれば、１又は複数の不動産(real property)領域を管理するためのコンピュータ実行方法は、オンライン財産(online property)管理システムの中に財産の地理的表示を提供するステップと、不動産領域の少なくとも一部を含む前記地理的表示において関心領域を識別するステップと、不動産領域に配置された前記地理的表示の中の１又は複数の販売促進特徴(promotional feature)の位置を決めるために前記地理的表示を分析するステップと、前記地理的表示における前記関心領域に関連付けられたユーザが選択可能なリンクを提供するステップと、前記ユーザが選択可能なリンクを介して、前記地理的表示における前記関心領域についてリクエストを受信するステップと、前記関心領域の動き又は外観のうちの少なくとも１つを変更するためのデータを受信するステップと、前記地理的表示と関連して、前記データを格納するステップと、前記受信されたデータに基づき、前記地理的表示の中の前記関心領域を更新するステップとを具備している。
【０００９】
態様は次の特徴のうちの１又は複数を含んでもよい。例えば、前記データを受信するステップは１又は複数の画像を受信するステップを含む。前記受信されたデータに基づき、前記関心領域を更新するステップは、前記関心領域を、前記受信されたデータの中に提供された画像と置換するステップステップを含んでもよい。前記１又は複数の販売促進特徴は、サイン、ポスター、バナー、又は、広告板のうちの１又は複数を含んでいる。
【００１０】
別の一般的な態様では、コンピュータ読み取り可能な記録媒体であって、オンライン財産管理システムの中に財産の地理的表示を提供するステップと、不動産領域の少なくとも一部を含む前記地理的表示において関心領域を識別するステップと、不動産領域に対応する前記地理的表示の中の１又は複数の販売促進特徴の位置を決めるために前記地理的表示を分析するステップと、前記地理的表示における前記関心領域に関連付けられたユーザが選択可能なリンクを提供するステップと、前記ユーザが選択可能なリンクを介して、前記地理的表示における前記関心領域についてリクエストを受信するステップと、前記関心領域の動き又は外観のうちの少なくとも１つを変更するためのデータを受信するステップと、前記地理的表示と関連して、前記データを格納するステップと、前記受信されたデータに基づき、前記地理的表示の中の前記関心領域を更新するステップとを実行させるためのコンピュータ実行可能命令を記録している。
【００１１】
態様は次の特徴のうちの１又は複数を含んでもよい。例えば、前記データを受信するステップは１又は複数の画像を受信するステップを含んでいる。前記受信されたデータに基づき、前記関心領域を更新するステップは、前記関心領域を前記受信されたデータの中で提供された画像と置換するステップステップを含んでいる。前記１又は複数の販売促進特徴は、サイン、ポスター、バナー、又は、広告板のうちの１又は複数を含んでいる。
【００１２】
別の一般的な態様では、１又は複数の不動産領域を管理するためのコンピュータ実行方法は、オンライン財産管理システムの中に地理的表示を提示するステップであって、前記地理的表示は別々の関心領域を有するステップと、前記別々の関心領域のうちの１つを識別する入力を受信するステップと、前記地理的表示の中の前記識別された別々の関心領域を分析するステップと、前記識別された別々の関心領域が不動産領域に位置することを証明することによって、前記識別された別々の関心領域をユーザが変更することができることを検証するステップと、前記地理的表示と関連して、前記識別された別々の関心領域の位置を格納するステップとを具備している。
【００１３】
態様は次の特徴のうちの１又は複数を含んでもよい。例えば、前記識別された別々の関心領域の動き又は外観のうちの少なくとも１つを変更するためのデータを受信する。前記データを受信するステップは、１又は複数の画像を受信するステップを含んでいる。前記受信されたデータを格納し、かつ、前記受信されたデータに基づき前記識別された別々の関心領域を更新する。前記識別された別々の関心領域をユーザが変更することができることを検証するステップは、前記識別された別々の関心領域が前記ユーザに所属する不動産領域の中に位置することを証明するステップを含んでいる。前記識別された別々の関心領域を記述したデータを受信する。前記識別された別々の関心領域を記述したデータを受信するステップは、公開入札への前記識別された別々の関心領域の利用可能性に関するデータを受信するステップを具備している。前記受信されたデータは、ビジネス又は住居に関する情報を含んでいる。
【００１４】
別の一般的な態様では、コンピュータ読み取り可能な記録媒体であって、オンライン財産管理システムの中に地理的表示を提示するステップであって、前記地理的表示は別々の関心領域を有するステップと、前記別々の関心領域のうちの１つを識別する入力を受信するステップと、前記地理的表示の中の前記識別された別々の関心領域を分析するステップと、前記識別された別々の関心領域が不動産領域に位置することを証明することによって、前記識別された別々の関心領域をユーザが変更することができることを検証するステップと、前記地理的表示と関連して、前記識別された別々の関心領域の位置を格納するステップとを実行させるためのコンピュータ実行可能命令を記録している。
【００１５】
態様は次の特徴のうちの１又は複数を含んでもよい。例えば、前記識別された別々の関心領域を変更するためのデータを受信する追加のステップを実行する。前記識別された別々の関心領域を記述したデータを受信する追加のステップを実行する。前記識別された別々の関心領域を記述したデータを受信するステップは、公開入札への前記識別された別々の関心領域の利用可能性に関するデータを受信するステップを具備している。
【００１６】
別の一般的な態様では、オンライン財産管理システム方法の中で１又は複数の不動産領域を管理するためのコンピュータ実行方法は、画像を含むデータを受信するステップと、前記受信された画像に類似したサイズ比を有する１又は複数の地理的表示の中の１又は複数の利用可能な別々の関心領域の位置を決めるステップと、前記１又は複数の利用可能な別々の関心領域を提示するステップと、前記１又は複数の利用可能な別々の関心領域について入札を受信するステップとを具備している。
【００１７】
態様は次の特徴のうちの１又は複数を含んでもよい。例えば、前記１又は複数の利用可能な関心領域の位置を決めるステップに使用するために、地理的表示を受信する。前記１又は複数の利用可能な別々の関心領域について提案された入札を提示する。
【００１８】
本発明の１又は複数の複数の態様の詳細が、添付の図面および以下の説明で述べられる。この説明および図面ならびに特許請求の範囲から、本発明の他の特徴、目的、および利点が明らかとなる。
【図面の簡単な説明】
【００１９】
【図１】仮想財産管理システムを実施するための環境100の例の図である。
【図２】例の画像ベースの広告ターゲティングプロセスのフローチャートである。
【図３】オンライン財産の画像を変更するための例のプロセスのフローチャートである。
【図４】オンライン財産情報を管理するための例のユーザインターフェースのスクリーンショットである。
【図５】１又は複数の広告とオンライン財産とを関連付けるための例のユーザインターフェースのスクリーンショットである。
【図６】財産を含む例の地理的画像のスクリーンショットである。
【図７】公開オークションにオンライン財産を出すための例のユーザインターフェースのスクリーンショットである。
【図８】オンライン財産オークションシステムで広告配置に入札するための例のプロセスのフローチャートである。
【図９】オンライン財産オークションシステムの中に広告をアップロードするための例のユーザインターフェースのスクリーンショットである。
【図１０】オンライン財産オークションシステムで広告配置に入札するための例のユーザインターフェースのスクリーンショットである。
【図１１】オンライン３次元又はパノラマ不動産において広告を管理するための例のシステムアーキテクチャを図示したブロック図である。
【図１２】一般的コンピュータデバイスおよび一般的モバイルコンピュータデバイスの例である。
【発明を実施するための形態】
【００２０】
種々の図面の類似の参照記号は類似の要素を示す。
【００２１】
図１は、仮想財産(virtual property)管理システムを実施するための環境100の例を図示している。１又は複数の財産所有者102及び/又は広告主120が、オンライン財産管理システム104において、広告(ad)情報(ビジネス詳細を含む)を直接又は間接的に入力、維持、および追跡することができる。広告は、グラフィック広告(例えば、バナー広告、テキストのみの広告、画像広告、オーディオ広告、ビデオ広告、そのような要素のうちの１又は複数を組み合わせた広告など)の形態であってよい。また、広告は、埋め込まれた情報(例えば、ホットリンク、メタ情報、及び/又は機械実行可能命令)を含んでもよい。１又は複数のユーザ106が、オンライン財産管理システム104へ仮想財産情報のリクエストを提出してもよい。オンライン財産管理システム104は、リクエストしているユーザ106へ１又は複数の画像(財産広告情報を含む)を送信することによって応答する。ユーザは、コンテンツ(例えば、インターネットウェブサイトコンテンツ)を発行する発行者を含むことができる。コンピュータネットワーク110(例えば、ローカルエリアネットワーク(LAN)、広域ネットワーク(WAN)、インターネット、又は、それらの組み合わせ)が、財産所有者102、広告主120、オンライン財産管理システム104、およびユーザ106を接続している。
【００２２】
オンライン財産管理システム104は、ストリートビュー表示サーバ112(広告情報が埋め込まれたか、かつ/又は、ホットリンクされた(hot linked)地理的位置の画像をユーザ106に提供することができる)を具備している。ストリートビュー表示サーバ112を介して利用可能な画像を使用して、マッピング、及び/又は、運転方向情報をユーザに提供することができる。例えば、全地球測位システム(GPS)ナビゲーション機器とのインターフェースを介して、ユーザ106が、ストリートビュー表示サーバ112から写真画像を受信することができる(現在の位置又は所望の目的地の写真画像をユーザ106に提供する)。画像は画像データベース114の中に格納されている。
【００２３】
前記オンライン財産管理システム104は、財産所有者ディレクトリ118を更新することへのアクセスを財産所有者102に提供する。１例では、財産所有者102は、財産情報を編集するために、財産所有者ディレクトリ118にアクセスすることができる。例えば、財産情報は、財産に位置しているビジネスの名称、財産住所、電話番号、営業時間、財産に関連付けられたウェブサイト108のユニバーサルリソースロケータ(URL)、現在の販売促進情報(例えば、クーポン、値引きなど)、財産所有者102の電子メールアドレス、ビジネスの記述、ビジネスカテゴリ、又は、財産位置への運転方向を含むことができる。財産情報は財産データベース116の中に格納することができる。
【００２４】
財産所有者102は、オンライン財産管理システム104の中の画像データベース114へ画像をアップロードするために、財産所有者ディレクトリ118を使用することができる。画像データベース114は、写真画像(街区の画像など)の中の特徴のグループとして認識されることができる画像を含む。例えば、自動車は、グリル、タイヤ、ヘッドランプ、ボンネット、フロントガラス、ミラー、ドア、ウィンドウ、トランクなどから成る特徴を含む一連の特徴を有する。特徴のグループ(関心領域(ROI)とも表現される)を、地理的写真表示の中から選択し(例えば、手動で、デジタル写真認識手段を介してなど)、かつ、画像データベース114へ追加することができる。
【００２５】
一部の実施例では、財産所有者102は、財産の画像を含むパノラマ画像の中のROIを選択することができる。例えば、財産に関連付けられた企業ロゴ、実店舗サイン、ウィンドウポスター、バナーディスプレイ、マーキーズディスプレイ(marquis display)、およびサンドイッチボードを、画像データベース114の中に格納することができる。一部の実施例では、例えば、パノラマ画像の中に見つけられたROIの位置および寸法を、画像データベース114又は財産データベース116の中に格納することができる。
【００２６】
財産所有者102によってアップロードされた画像を指定して、パノラマ画像の中のROIを置換することができる。例えば、財産のパノラマ画像が、期限切れの販売促進(例えば、秋のクリアランスセール)に言及している販売促進画像(例えば、ウィンドウポスター、マーキーズテキスト、バナーなど)を含んでもよい。財産所有者102が、最近の情報(例えば、春の靴セール)を含む画像をアップロードして、期限切れの販売促進を表示するROIにオーバーレイすることができる。
【００２７】
一部の実施例では、オンライン財産管理システム104は、関連した財産の中の１又は複数の関心領域を入札に出す機能を、財産所有者102に提供することもできる。例えば、広告板の財産所有者102が、パノラマ画像の中の広告板を記述したROIが入札に提供されるように、(例えば、財産所有者ディレクトリ118を介して)指定することができる。入札に利用可能な財産を、財産データベース116の中に格納することができる。例えば、１又は複数の広告主120又は他の財産所有者102は、ROIによって定義された広告板の広告画像によるオーバーレイに入札することができる。一部の実施例では、公共区域内に位置する販売促進特徴(例えば、広場などの公共財産の中で識別されたバナー又はポスター)も、入札に使用することができる。オンライン財産オークションサーバ126が、財産領域に対する入札を促進させることができる。入札データベース128が、入札、および、各広告主120に関連付けられた他の広告情報を格納する。
【００２８】
広告主ディレクトリ124の中で、例えば、広告主120は、広告情報を編集し(例えば、広告カテゴリを選択し、ターゲティングのため地理的領域に広告配置を限定し、ウェブサイト122と１又は複数の広告とを関連付けるなど)、オンライン財産管理システム104へ広告を提出し(例えば、画像データベース114へ)、かつ、オンライン財産入札を管理することができる。
【００２９】
一部の実施例では、ユーザ106は、オンライン財産管理システム104から、地理的表示(例えば、街区、歴史的ランドマーク、小規模ショッピングセンターの画像、幹線道路部についての現在の交通状況など)をリクエストすることができる。例えば、ユーザ106は、仮想運転方向との関係でストリートビューをリクエストすることができる。ストリートビュー表示サーバ112が、リクエストされたコンテンツと、財産所有者102及び/又は広告主120によって提供された広告画像のうちの１又は複数とを組み合わせる。ストリートビュー表示サーバ112は、財産所有者102により提供された財産情報で、リクエストされたコンテンツを追加的に埋め込むことができる(例えば、ホットリンクを使用することでなど)。
【００３０】
ストリートビュー表示サーバ112は、写真の関心領域と、画像データベース114又は財産データベース116の中に格納された財産所有者指定の関心領域と比較する。１又は複数の財産所有者102がリクエストされた画像の中に関心領域を指定していた場合、ストリートビュー表示サーバ112は、画像データベース114の中の広告画像を見つけ、かつ、関連する広告画像で関心領域をオーバーレイすることができる。一部の実施例では、地理的表示の中の関心領域へ広告を適用することは、地理的表示の中で選択可能な領域を作成することを含むことができる。組み合わせられた画像コンテンツおよび広告コンテンツ(例えば、オーバーレイされた広告画像、ホットリンクされた画像領域など)を、ビューア(例えば、ウェブブラウザ、モバイル機器、車両ナビゲーション機器、又は、他のコンテンツ表示システム)で提示するためにユーザ106に送信することができる。
【００３１】
一部の実施例では、ホットリンクされた領域又は埋め込まれた広告を選択することにより、財産所有者のウェブサイト108又は広告主のウェブサイト122へのナビゲーションをユーザに提供することができる。１又は複数の財産所有者102及び/又は広告主120を、１又は複数のウェブサイト108、122に関連付けることができる。例えば、財産所有者102は、インターネットベースのビジネス、実店舗のビジネス、又は、インターネットの存在および実店舗の施設の両方を有するビジネスを宣伝することができる。
【００３２】
上記から分かるように、オンライン財産管理システム104は、ユーザ106(例えば、個別の電子機器、ウェブ発行者)にコンテンツササービスおよびサーチサービスを供給することができる。オンライン財産管理システム104は、地理的表示の中に配置された関心領域へターゲット化された広告の供給を可能にする。例えば、ネットワーク又はネットワーク間が、地図及び/又は運転方向サービスからのリクエストに応答して、インラインのターゲット化された広告を有する地理的写真を供給するオンライン財産管理システムを含んでもよい。一部の実施例では、ユーザ106が、オンライン財産管理システム104に画像選択のためのアドレス指定手段(例えば、通りの住所、GPS座標など)を提供する。応答では、オンライン財産管理システム104は、受信されたアドレスのストリートビュー表示と、ストリートビュー表示の中に認識された１又は複数の関心領域にターゲット化されたインラインの広告、及び/又は、埋め込まれた広告リンクとを調整する。ストリートビュー表示サーバ112は、電子的又は手動ですでに精査され、かつ、局所的特徴のグループとマッチされた(そのグループは関心領域の中に位置している)地理的表示画像を含む。例えば、関心領域の写真の座標は、広告のオーバーレイのために、財産所有者102によって指定された関心領域にマッチさせることができる。広告は、認識された特徴グループで調整され、かつ、ユーザ106に戻されるストリートビュー表示の中にコンパイルされる。
【００３３】
図２は、例の画像ベースの広告ターゲティングプロセス200のフローチャートである。プロセス200のステップは特定の順序で発生する必要はなく、かつ、少なくとも一部のステップは並行して発生することができる。広告ターゲティングプロセス200は、画像を提供するステップから始まる(202)。例えば、画像は、ストリートビュー表示サーバ122(図１に示すように)へ提供される地理的表示画像である。画像は、特定の地理的位置についてのユーザ106からのリクエストに応答して、画像データベース114から読み取られる。例えば、ネットワーク110を介してオンライン財産管理システム104に接続されたユーザが、特定の領域(例えば、GPS座標、通りの住所など)に対応する地理的表示をリクエストすることができる。例えば、ストリートビュー表示サーバ112は、画像データベース114から、リクエストされた領域に関連付けられた地理的表示画像を読み取ることができる。
【００３４】
１又は複数の関心領域が画像内に識別される(204)。局所的特徴は、視覚的に区別できる画像ファイルの部分又はセクションである。局所的特徴の検出は２つのステップを具備する(関心点抽出および特徴生成)。関心点抽出は、画像上に視覚的に顕著な、さらに安定した点(例えば、オブジェクトのエッジおよび角など)を見つける問題に対処する。共通のアルゴリズムは、ガウスの差分(DoG)アプローチ、又は、ガウスのラプラシアン(LoG)アプローチ(引用により全体が本明細書に組み込まれる、C. Schmid, R. Mohrand and C. Bauckhage, Evaluation of Interest Point Detectors, Int'l Journal of Computer Vision, 37(2), 151-172, 2000 (http://perception.inrialpes.fr/Publications/2000/SMB00)に説明されている)を含んでいる。いったん関心点が検出されると、一般に、第２ステップは、関心点の周囲に特徴を生成することになる。関心点の周囲に特徴を生成する例のアプローチは方向ヒストグラムを含んでいる。局所的特徴のうちの１又は複数の識別により、局所的特徴のグループ(関心領域とも称される)を物理的財産位置と比較することができる(例えば、前記財産データベース116の中に含まれた情報を使用して)。例えば、コーヒー店などの建物の輪郭を識別することができる。財産データベース116は、財産を財産所有者にマッチさせる座標(例えば、GPS座標)又は他の情報を含んでもよい。
【００３５】
ユーザが選択可能なリンクが関心領域との関連で提供される(206)。リンクは、財産所有者(例えば、描かれた物理的財産を所有する財産所有者)に関連付けることができる。代わりに、リンクは、関心領域(例えば、ポスター、広告板、バナーなど)の中に認識された画像に対して最高入札となった広告主又は財産所有者に関連付けることができる。関心領域が位置する地理的表示画像のどの部分でも選択可能である(例えば、ホットリンク)。例えば、コーヒー店の画像はコーヒー店用の広告にホットリンクすることができる。他の例では、コーヒー店のロゴは、メニュー情報、顧客レビュー、営業時間、及び/又は他の関連情報にホットリンクすることができる。一部の実施例では、財産所有者は、広告情報をホットリンクするために、関心領域(例えば、コーヒー店サイン、及び/又は、サインの中のコーヒー店ロゴ)を識別する。一部の実施例では、ユーザが選択可能なリンクは視覚的に示されている。例えば、ユーザが選択可能な領域を、輪郭を描いたり、ハイライトしたり、又は、画像の残りの部分に比べてより明るいか又は影付きの方法で描画したりすることができる。ユーザが選択可能なテキストリンクを下線付きにしたり、太字にしたりすることができる。
【００３６】
リクエストが、関心領域に関する情報についてユーザが選択可能なリンクを介して受信される(ステップ208)。例えば、ユーザは、タッチしたり、クリックしたり、又は、別の方法でホットリンクが表示されている機器へ入力を提供したりして、関心領域に関してさらなる情報を受信する。例えば、ユーザは、通りの地理的表示の中のコーヒー店のロゴを選択することができる。ホットリンクの選択は、オンライン財産管理システム104によって提供されるコンテンツへユーザをナビゲートする。オンライン財産管理システム104は、ユーザが選択可能なリンクに関連付けられた情報の提示を調整する。他の実施例では、リンクが、財産所有者102(例えば、財産所有者のウェブサイト108)又は広告主120(例えば、広告主のウェブサイト122)へユーザをナビゲートする。
【００３７】
選択された関心領域に関連付けられた情報がユーザに提示される(ステップ210)。情報は画像の一部の表示を置換する。例えば、情報を画像の上の部分の中に提示したり、画像全体の代わりに提示したりすることができる。代わりに、情報を、画像の下、画像に並行して、又は、画像とは別の表示領域(例えば、ポップアップウィンドウ)に提示することができる。情報は、広告、営業時間、メニュー情報、顧客レビュー又は評価、又は、他の情報(関心領域、及び/又は、地理的表示画像の中に描かれた一般的な位置に関する)を含むことができる。例えば、コーヒー店のロゴに関連付けられたコーヒー店についての広告を、画像の中のコーヒー店のロゴ特徴の選択によって、ユーザへ提示することができる。
【００３８】
さまざまなタイプの情報を、同じ選択可能なリンクの中で提供することができる。例えば、領域へのカーソルの重ね合わせ、右クリックなどが、情報の第１のグループ化を提供することができる。情報の第１のグループ化は、追加的な情報を取得するための選択肢を含むことができる。例えば、ドロップダウンメニューが表示される可能性がある(ユーザが選択可能なロゴに関連付けられたコーヒー店についての製品リスト、顧客レビュー、及び/又は、値引き提案を用意する)。情報の第１のグループ化からの選択肢のうちの１つの選択により、特徴(例えば、メニュー、クーポンコード、時間など)に関連付けられた情報の第２の表示をユーザに提供することができる。提示の他のレベルも可能である。
【００３９】
図３は、オンライン財産の画像を変更する例のプロセス300のフローチャートである。プロセス300のステップは特定の順序で発生する必要がなく、かつ、少なくとも一部のステップは並行して発生することができる。プロセス300は、財産の画像について財産所有者からリクエストを受信するステップから始まる(302)。一部の実施例では、財産所有者は、１又は複数の物理的財産のオンライン管理へのアクセスを得るために検証手続を経る。例えば、財産所有者は、財産へのアクセスを得るために、オンライン財産管理システム104(図１に示すように)へ検証情報を入力してもよい。財産所有者が複数の財産を所有する場合、例えば、財産所有者は住所のリストから選択して、特定の財産を指定してもよい。
【００４０】
財産画像が財産所有者に提示される(304)。一部の実施例では、財産画像はパノラマ表示(例えば、街区の表示)の中に含まれている。例えば、ストリートビュー表示サーバ112が、画像データベース114からの画像を財産所有者102に提供することができる。
【００４１】
１又は複数の関心領域が画像の中に識別される(306)。一部の実施例では、第１に、財産所有者により所有される財産を描いた画像の選択が識別される。例えば、ガソリンスタンド財産の輪郭を識別することができる。一部の実施例では、識別された財産の中で、販売促進特徴(例えば、ポスター、サイン、広告板、バナー、サンドイッチボードなど)を別々の関心領域として識別することができる。一部の実施例では、販売促進特徴に関連付けられた各ROIを、目に見えるマーク(例えば、輪郭、ハイライト、シャドウなど)によって識別することができる。例えば、劇場資産に表示されたマーキーズおよび各個別のウィンドウポスターを、関心領域として個別に識別することができる。
【００４２】
関心領域の選択が受信される(308)。一部の実施例では、財産所有者102は、タッチしたり、クリックしたり、又は、別の方法でROIが表示されている機器へ入力を提供したりして、ROIに関してさらなる情報を受信することができる。一部の実施例では、代わりに、財産所有者102は、以前に識別された画像の中のROIを選択することができる。例えば、財産所有者102は、表示された財産のウィンドウでボックスをドラッグして、ROIを指定することができる。
【００４３】
データが選択された関心領域を変更するために受信される(310)。一部の実施例では、財産所有者102は、オンライン財産管理システム104に画像をアップロードして、識別されたROIを置換してもよい。例えば、映画館の財産所有者102が休日の映画に関するウィンドウポスターを選択した場合、財産所有者102は、新しい映画のリリースを宣伝する画像で、ポスターの領域を置換することができる。一部の実施例では、財産所有者102は、ROIと販売促進情報へのホットリンクとを関連付けることができる。例えば、財産所有者102は、財産所有者のウェブサイト108へのホットリンクのために、店の前のサインを選択してもよい。他の例では、財産所有者102はクーポンなどの広告を作成し、かつ、それをROIの中にホットリンクしてもよい。
【００４４】
変更された画像データが格納される(312)。一部の実施例では、アップロードされた画像が画像データベース114の中に格納される。財産情報が変更された場合(例えば、クーポンなど販売促進を追加する、営業時間を変更するなど)、財産データベース116が新しい情報を反映するために更新される。また、一部の実施例では、主な画像の中の変更された関心領域(複数可)の位置(複数可)が、画像データベース114又は財産データベース116の中に格納される。
【００４５】
一部の実施例では、提示された画像は、財産所有者の表示の中の変更を反映するために更新される。一部の実施例では、財産所有者102は、同じ提示される画像の中に２つ以上の変更を作ることができる。例えば、財産所有者102は、変更のため、ウィンドウポスターROIおよび屋根の広告板ROIの両方を選択してもよい。一部の実施例では、財産所有者102は、単一のROIへ複数の画像をアップロードすることができる。例えば、ROIは、カーソルの重ね合わせ、設定されたスケジュール(例えば、10秒毎)などにより、２つのアップロードされた画像を切り替えてもよい。他の実施例も可能性がある。
【００４６】
図４は、オンライン財産情報を管理するための例のユーザインターフェース400のスクリーンショットである。例えば、ユーザインターフェース400は、財産情報を管理するため、図１の財産管理者ディレクトリ118によって提供してもよい。位置(location)タブ402がアクティブであり、財産位置を管理するため、インターフェースを財産所有者に提供する。また、販売促進(promotion)タブ404が検討のため利用可能である。
【００４７】
２つのビジネス位置が位置リストボックス406の中に見られる。ビジネス欄408がビジネスの住所をリスト化する。一部の実施例では、ビジネスに加えて、位置は、公園、像、公共広場、広告板などのどんなタイプの財産でも含むことができる。財産所有者をいくつの財産にでも関連付けることができる。
【００４８】
状態欄410が各位置についてのアクティブ状態をリスト化する。一部の実施例では、アクティブ状態は、その位置が地理的画像(例えば、図１のストリートビュー表示サーバ112により提供される画像)の中にホットリンクされていることを意味する。また、状態欄410は、各ビジネス408について掲載された日付をリスト化する。例えば、掲載された日付は、財産所有者が財産情報を地理的画像へ初めてリンクした日付であってもよい。また、販売促進は状態欄410の中にリスト化されている。例えば、財産所有者は、販売促進タブ404を使用してビジネス情報へ販売促進(例えば、ホットリンクされたクーポンなど)を追加してもよい。
【００４９】
統計欄412が、各ビジネス408が受信したインプレッションおよびビューの数をリスト化している。一部の実施例では、インプレッションおよびビューの数は、状態欄410の中にリスト化された掲載の日付以降の統計に関連する。例えば、インプレッションは、ビジネス408を含む画像がユーザによってリクエストされた回数に関連することができる。例えば、ビュー統計は、提供された画像の中からユーザがビジネス情報をリクエストした回数であってもよい(例えば、ホットリンクを使用して)。
【００５０】
アクション欄414が、各個別のビジネスリスト408を編集又は削除する能力を財産所有者に提供する。一部の実施例では、ビジネスが閉鎖するか、又は売却された場合、財産所有者はビジネスリストを削除することを選択してもよい。
【００５１】
また、位置タブ402の中で、財産所有者には、新しいリストを追加する(adding a new listing)416、および、データファイルをアップロードする(uploading a data file)418の選択肢が提供される。例えば、新しいリストを追加する416を選択することは、追加的なユーザインターフェース(住所および販売促進情報などのビジネス情報を入力することができる)を伴うことができる。例えば、データファイルをアップロードするステップ418は、予めフォーマットされた情報をアップロードして、リストのグループを編集又は追加することを財産所有者に可能にさせる。例えば、データファイルをアップロードする418を選択することにより、レストランチェーン全体に関する大量の情報をアップロードする機会をレストランのチェーンの所有者に与えることができる。
【００５２】
図５は、広告とオンライン財産とを関連付けるための例のユーザインターフェース500のスクリーンショットである。一部の実施例では、ユーザインターフェース500は、図４のスクリーンショット400のアクション欄414内の編集オプションを選択することによって達せられる。要求された情報(required info)タブ502がアクティブである。また、カテゴリタブ504、時間および支払いタブ506、写真タブ508、カスタムタブ510、および販売促進タブ512がユーザインターフェース500の中で利用可能である。
【００５３】
要求された情報タブ502は、基本ビジネス情報を入力又は更新する能力を財産所有者に提供する。データエントリペイン514の中で、財産所有者には、データフィールド(例えば、住所エントリブロック516、電話番号フィールド518、電子メールアドレスフィールド520、およびウェブサイトフィールド522)が提示される。記述データエントリボックス524が、この場合は「some day courier services」について、財産所有者にビジネスの簡単な説明を入力することができるようにしている。
【００５４】
プレビューペイン526が、財産所有者にビジネス情報エントリを図示している。プレビューペイン526の中に含まれるのはビジネス位置の地図528である。地図マーカ530が、見る人にビジネスが地図528の中のどこに位置しているかを図示している。データエントリペイン514の中の地図マーカホットリンク532を選択することによって、財産所有者は不正確な地図マーカ位置を訂正することができる。
【００５５】
次へのボタン534が、選択されたとき、財産所有者を次の情報編集スクリーンへ向かわせる。例えば、要求された情報タブ502の中から次へのボタン534を選択することにより、カテゴリタブ504を開くことができる。一部の実施例では、カテゴリタブ504が、財産所有者にリストについてビジネスカテゴリ、及び/又はサブカテゴリを選択することができるようにする。例えば、財産所有者は、OPQ Co.エントリについてカテゴリ「宅配便業者」を選択してもよい。一部の実施例では、２つ以上のカテゴリを選択することができる(例えば、レストランおよびベーカリーの両方)。
【００５６】
時間および支払いタブ506は、曜日による営業時間についてのデータエントリ、および、許可された支払いタイプ(例えば、現金、小切手、クレジットなど)を、資産所有者に提供することができる。一部の実施例では、写真タブ508が、画像をアップロードして、ビジネスの地理的写真表示の中の関心領域を置換する機会を、財産所有者に提供することができる。例えば、写真タブ508を使用して、財産所有者は、画像データベース114(図１に示したように)へ１又は複数の画像をアップロードして、ストリートビュー表示サーバ112により提供された財産の地理的画像のセクションをオーバーレイしてもよい。
【００５７】
カスタムタブ510が、リストを変更するためのカスタマイズ選択肢(例えば、さまざまなフォント、レイアウト、ロゴ画像のアップロードなど)を、財産所有者に提供することができる。販売促進タブ512が、ビジネスエンティティへクーポン又は販売促進メッセージを追加する選択肢を、財産所有者に提示することができる。すべての所望されるタブからの情報がアップロードされたとき、財産所有者は、終了ボタン536を選択して、ユーザインターフェース500を終了させることができる。
【００５８】
図６はビジネス財産602を含む例の地理的画像600のスクリーンショットである。例えば、地理的画像600は、オンライン財産管理システム104(図１に示すように)から、ストリートビュー表示サーバ112によって提供してもよい。一部の実施例では、財産所有者は、財産所有者ディレクトリ118(図１に示すように)、又は、ユーザインターフェース500(図５に示すように)の写真タブ508を介して、地理的画像600にアクセスすることができる。
【００５９】
前記ビジネス財産602の中に、４つの販売促進特徴604(求人サイン604a、販売促進バナー604b、およびウィンドウポスター604c、604dを含む)が表示されている。一部の実施例では、販売促進特徴604は選択可能なホットリンクで視覚的に識別される(例えば、ハイライト、シャドウ、輪郭など)。例えば、オンライン財産管理システム104は、ビジネス財産602の中の販売促進特徴604を識別することができ、かつ、選択のために財産所有者に販売促進特徴604を提示することができる。一部の実施例では、財産所有者は、１又は複数の販売促進特徴604を選択して、広告に関連付けることができる。例えば、財産所有者は、１又は複数の画像をアップロードして、１又は複数の関心領域(販売促進特徴が位置する)を置換することができる。一部の実施例では、財産所有者は、代わりに、又は、加えて、１又は複数の販売促進特徴を選択して、広告情報にホットリンクすることができる(例えば、クーポン、ビジネスリスト情報など)。
【００６０】
一部の実施例では、販売促進特徴604に加えて、財産所有者は、販売促進特徴を含まない関心領域を選択することができる。例えば、財産所有者は、ウィンドウ606を選択して、１又は複数の広告(例えば、販売促進画像、ホットリンクされたクーポンなど)と関連付けてもよい。一部の実施例では、オンライン財産管理システム104は、財産所有者の財産の中に位置していると検証されたどんな関心領域でも受け入れることができる。例えば、財産所有者は、ビジネス財産602のセクションでボックスをドラッグして、ROIを定義してもよい。
【００６１】
また、地理的画像600は広告板財産608を含んでいる。広告板財産は、ビジネス財産602と同じ財産所有者、又は、第２の財産所有者に所属することができる。一部の実施例では、広告板財産608、及び/又は、販売促進特徴604を、入札のため、広告主、及び/又は、他の財産所有者へ提供することができる。例えば、広告板608の財産所有者は、オンライン財産オークションサーバ126(図１に示したように)へ広告板財産608を提出することができる。広告主120は、広告板財産608の上に広告を配置することについて入札することができる。
【００６２】
一部の実施例では、ユーザが地理的画像600を見たとき、ユーザは、ビジネス財産602、広告板財産608、及び/又は、個別の販売促進特徴604を選択して、追加の広告情報を受信することができる。例えば、ユーザ106は、オンライン財産管理システム104から地理的画像600をリクエストしてもよい。ストリートビュー表示サーバ112は、地理的画像600と、ビジネス財産602及び/又は広告板財産608の財産所有者(複数可)により提供された販売促進特徴および広告コンテンツ、又は、代わりに、広告板財産販売促進スペース及び/又は販売促進特徴604のうちの１又は複数に入札する広告主(複数可)とを組み合わせてもよい。ユーザ106が地理的画像600の中の１又は複数のホットリンクされた関心領域(例えば、ビジネス財産602、広告板財産608、及び/又は、販売促進特徴604)を選択した場合、オンライン財産管理システム104が、広告情報(例えば、財産所有者102のウェブサイト108、又は、広告主120のウェブサイト122)へユーザ106をナビゲートすることができる。
【００６３】
図７は、公開オークションにオンライン財産を出すための例のユーザインターフェース700のスクリーンショットである。例えば、ユーザインターフェース700は、地理的画像600(図６に示すように)の中から、広告板財産608を選択することによって到達してもよい。財産所有者は、ユーザインターフェース700を介して、公開オークションシステムへ選択された財産領域を提出することができる。公開オークションシステムを使用して、広告主は、選択された財産領域の上に広告を配置する機会に入札することができる。財産所有者は、選択された財産領域についての入札に広告主のカテゴリを含む、かつ/又は、含まないことを選択的に選択することができる。例えば、ユーザインターフェース700を介して提出された情報を、オンライン財産管理システム104(図１に示すように)の財産所有者ディレクトリ118の中に格納してもよい。
【００６４】
選択されたとき、「私の財産をオークションにかける(Auction My Property)」ラジオボタン702が、選択された財産領域(例えば、図６に示したように広告板財産領域608)を公開広告オークションシステム(例えば、図１に示すようにオンライン財産オークションサーバ126)の中に配置する。例えば、オークションシステムは、選択された財産領域の中に配置するため、１又は複数の広告を選択することができる。一部の実施例では、財産所有者は、広告配置のための手数料を受け取ることができる。
【００６５】
第１カテゴリドロップダウンメニュー704が、広告カテゴリ、及び/又はサブカテゴリ(例えば、小売、小売−レストラン、サービス、サービス−不動産など)のリストを含んでいる。財産所有者は、ドロップダウンメニュー704を使用して、１又は複数のカテゴリ、及び/又はサブカテゴリを選択することができる。選択されたカテゴリ、及び/又はサブカテゴリは、広告をスクリーニングするために、公開広告オークションシステムによって使用される。例えば、選択されたカテゴリに所属する広告主、及び/又は、広告だけが、選択された財産領域について入札することができる。一部の実施例では、ドロップダウンメニュー704の中の１又は複数のカテゴリ、及び/又はサブカテゴリの選択は任意選択である。
【００６６】
第２カテゴリドロップダウンメニュー706が、広告カテゴリ、及び/又はサブカテゴリのリストを含んでいる。一部の実施例では、ドロップダウンメニュー706は、ドロップダウンメニュー704と同じカテゴリ、及び/又はサブカテゴリのリストを含む。ドロップダウンメニュー706は、選択された財産領域の中で広告を禁じられる１又は複数のカテゴリ、及び/又はサブカテゴリを選択する機会を、財産所有者に提供する。例えば、競合するレストランが選択された財産領域の中で広告しないように、レストラン財産所有者が、ドロップダウンメニュー706の中のサブカテゴリ小売―レストランを選択することができる。一部の実施例では、ドロップダウンメニュー706の中の１又は複数のカテゴリ、及び/又はサブカテゴリの選択は任意選択である。
【００６７】
いったん財産所有者がラジオボタン702、ドロップダウンメニュー704、及び/又はドロップダウンメニュー706を使用して、選択を完了すると、財産所有者は受け入れ(accept)ボタン708をアクティブにして、選択を提出することができる。一部の実施例では、受け入れボタン708のアクティブ化により、ユーザインターフェース700を閉じる。他の実施例では、例えば、受け入れボタン708の選択により、ユーザインターフェース700の中で行われた選択をリスト化した概要スクリーンを、ユーザに提示することができる。財産所有者は、クリアボタン710をアクティブにして、ユーザインターフェース700の中で行われた選択をクリアすることができる。
【００６８】
図８は、オンライン財産オークションシステムにおける広告配置に入札するための例のプロセス800のフローチャートである。プロセス800のステップは特定の順序で発生する必要はなく、かつ、少なくとも一部のステップは並行して発生することができる。例えば、プロセス800は、図１に示したようにオンライン財産管理システム104の広告主ディレクトリ124によって実施することができる。プロセス800は、広告主から１又は複数の広告を受信するステップから始まる(802)。例えば、広告は、１又は複数のファイルに渡り、かつ、いくつものファイルタイプを含むグラフィック、及び/又は、マルチメディア情報を含むことができる。広告は画像データベース114の中に格納することができる。
【００６９】
選択的に、地理的領域も広告主から受信することができる(804)。一部の実施例では、地理的領域を使用して、広告の提示のためのターゲットエリアを選択することができる。例えば、来たるコンサートについての広告を、コンサートを行う会場の地理的範囲(例えば、25マイル)の中に提示することができる。一部の例では、地理的領域は、住所、郵便番号、都市、州、国、GPS座標、又は、地理的領域を記述する他の情報を含むことができる。
【００７０】
１又は複数のデータベースが、受信された広告と類似したサイズ比のオークションにかけられた財産スペースについてサーチされる(806)。例えば、グラフィック広告が受信される(ある寸法(例えば、200×400ピクセル)を有する)。プロセス800は、例えば、図１の財産データベース116の中の財産領域をサーチすることができる(類似の幅高さ寸法を有する)。一部の実施例では、指定された地理的領域の中の財産だけがサーチされる。
【００７１】
利用可能な財産位置のリストが提示される(808)。一部の実施例では、住所のリストが広告主に提示される。一部の実施例では、利用可能な財産位置のリストは財産の画像を含むことができる。例えば、位置のサムネイル画像(広告配置に利用可能な領域の表示(例えば、輪郭、ハイライトなど)を選択的に含む)を広告主に提示することができる。
【００７２】
提示された位置のうちの１又は複数の選択が受信される(810)。一部の実施例では、利用可能な財産位置のリストは、提示された位置のうちの１又は複数を選択するため、チェックボックス、又は、他のユーザインターフェース要素を含んでいる。
【００７３】
提案された入札が、１又は複数の選択された位置のそれぞれについて提示される(812)。一部の例では、提案された入札は、選択された位置についての既存の入札、又は、類似した位置についての入札(例えば、類似した提示サイズ、近くの地理的位置など)に対応する。例えば、提案された入札を、図１の入札データベース128の中に配置することができる。一部の実施例では、提案された入札を提示することに加えて、広告主が入札を提出することができるように、入力方法が広告主に提示される。
【００７４】
入札が、選択された位置のうちの１又は複数について受信される(814)。例えば、広告主が、提案された入札を選択するか、又は、関心のある各位置に対して新しい入札を提出することができる。一部の実施例では、広告主が２つ以上の広告を提出した場合、各入札は特定の広告に関連付けられる(例えば、広告Aは100ｘ400ピクセルであり、一方で広告Bは600ｘ400ピクセルである)。一部の実施例では、入札は、特定の広告主、及び/又は広告にスペースをリースする。他の実施例では、入札は、財産位置に関連付けられた広告のリストにおいて、広告主、及び/又は広告を配置する。例えば、２以上の広告主を、交互に同じ広告領域に提示してもよい。例えば、受信された入札は入札データベース128の中に格納することができる。入札情報は広告主ディレクトリ124の中で管理することができる。
【００７５】
プロセス800は一連のステップとして説明されているが、より多い又は少ないステップがプロセス800に含まれ、かつ、ステップを異なる順序で実行することができる。例えば、利用可能な財産位置のリストを提示するステップ(808)、および、提案された入札を提示するステップ(812)を、提示された位置のうちの１又は複数の選択を受信する(810)という中間ステップ無しで組み合わせることができる。一部の実施例では、広告主は、オンライン財産システムをナビゲートして、利用可能な財産スペースの位置を決めることができる。例えば、広告主が入札に利用可能な領域を有する財産にナビゲートするとき(例えば、図１のストリートビュー表示サーバ112を使用して)、広告主を警告することができる(例えば、ハイライトされた領域、「この財産を請求する(claim this property)」リンクなど)。広告主は、利用可能な財産領域を選択し、かつ、提案された入札を提示されることができる(812)。一部の実施例では、広告主は、広告スペースの選択のために追加の基準を提供することができる(例えば、利用可能な日数、財産のタイプなど)。
【００７６】
図９は、オンライン財産オークションシステムの中に広告をアップロードするための例のユーザインターフェース900のスクリーンショットである。例えば、ユーザインターフェース900は、広告主ディレクトリ124を介して１又は複数の広告主120によってアクセスされて、オンライン財産管理システム104(図１に示したように)の画像データベース114に広告をアップロードすることができる。広告をアップロードすることに加えて、広告主は、ビジネスタイプによって広告(複数可)をカテゴリ化し、かつ/又は、地理的領域への広告(複数可)の提示を制限する機会を提供される。
【００７７】
ファイルパステキストボックス902が、広告ファイルの位置を決めるために、ディレクトリパスを受け入れる。例えば、ブラウズボタン904を使用して、ファイル位置へナビゲートすることができる。単一の広告ファイルをアップロードすることよりむしろ、選択されたとき、アップロード複数ファイル(upload multiple files)リンク906が、広告ファイルを大量にアップロードするメカニズムを広告主に提供する。
【００７８】
カテゴリドロップダウンメニュー908が、アップロードされた広告(複数可)に関連付けるために、ビジネスカテゴリ、及び/又はサブカテゴリの選択を広告主に提供する。例えば、広告主は、１又は複数のアップロードされた広告と、カテゴリ「小売―宝石類(retail-jewelry)」とを関連付けてもよい。一部の実施例では、カテゴリ選択を使用して、オンライン財産オークションを介して、広告と適切な財産配置とをマッチさせることができる。例えば、財産所有者は(例えば、図７に示すようにユーザインターフェース700を介して)ビジネスカテゴリを選択して、財産領域の中の広告配置を受け入れるか、又は、拒否してもよい。一部の実施例では、広告主は２つ以上のカテゴリを選択して、広告に関連付けることができる(例えば、「小売―宝石類」および「サービス−時計修理」の両方)。
【００７９】
距離ドロップダウンメニュー910が広告配置についての地理的範囲の選択を含む。住所入力ボックス912のセットと協調して(例えば、通りの住所入力ボックス912aおよび912b、都市の住所ボックス912c、州のドロップダウンメニュー912d、および、郵便番号入力ボックス912eのセット)、距離ドロップダウンメニュー910が、広告を地理的に配置することができる半径を指定することができる。例えば、広告主は、新しい美術館のための広告を美術館の住所の30マイル以内に配置するように選択してもよい。例えば、他の潜在的な地理的範囲は、都市、郡、州、又は、郵便番号の地域内の位置を含む。一部の実施例では、配置のための地理的領域の選択は任意選択である。
【００８０】
広告主は、受け入れボタン914をアクティブにして、ユーザインターフェース900の中で行われた選択を提出することができる。例えば、受け入れボタン914の選択は、新しい情報で広告主ディレクトリ124を更新することができ、かつ、ユーザインターフェース900を閉じる。広告主は、代わりに、クリアボタン916をアクティブにして、ユーザインターフェース900の中で行われたすべての選択をクリアすることができる。
【００８１】
図10は、オンライン財産オークションシステムにおいて広告配置に入札するための例のユーザインターフェース1000のスクリーンショットである。ユーザインターフェース1000は、１又は複数の広告に関する情報を提出するための広告情報ペイン1002と、広告(複数可)を配置することができる財産をリスト化した利用可能な財産ペイン1004とを含んでいる。利用可能な財産ペイン1004は、広告配置のための１又は複数の利用可能な財産に対して入札を行う選択肢を広告主に提供する。例えば、ユーザインターフェース1000は、図１のオンライン財産オークションサーバ126を使用して、広告主120によってアクセスすることができる。
【００８２】
広告情報ペイン1002はアスペクト比入力ボックス1006を含んでいる。アスペクト比は、広告主が配置するのを望む広告の高さ幅ピクセル比に言及する。一部の実施例では、アスペクト比は、例えば、広告主によって以前に選択された広告を使用して、アスペクト比入力ボックス1006の中に自動的に埋められる。
【００８３】
カテゴリドロップダウンメニュー1008が、広告を１又は複数のビジネスタイプにカテゴリ化するために、広告主に利用可能である。例えば、聖歌隊コンサート広告は「娯楽−音楽」として分類することができる。
【００８４】
距離ドロップダウンメニュー1010が、広告配置についての地理的範囲の選択を含む。住所入力ボックス1012のセットと協調して(例えば、通りの住所入力ボックス1012aおよび1012b、都市の住所ボックス1012c、州のドロップダウンメニュー1012d、および、郵便番号入力ボックス1012eのセット)、距離ドロップダウンメニュー1010が、広告を地理的に配置することができる半径を指定することができる。
【００８５】
広告主は、キャンセルボタン1016をアクティブにして、現在の入札リクエストをキャンセルすることができる。例えば、キャンセルボタン1016のアクティブ化により、アスペクト比入力ボックス1006、カテゴリドロップダウンメニュー1008、距離ドロップダウンメニュー1010、及び/又は、住所入力ボックス1012の中の現在の選択をクリアすることができる。一部の実施例では、キャンセルボタン1016のアクティブ化がユーザインターフェース1000を閉じる。
【００８６】
いったん選択が、アスペクト比入力ボックス1006、カテゴリドロップダウンメニュー1008、距離ドロップダウンメニュー1010、及び/又は、住所入力ボックス1012の中で行われると、広告主は、入札する利用可能な財産領域の位置を決めるために、発見ボタン(find button)1014をアクティブにすることができる。一部の実施例では、発見ボタン1014をアクティブにすることにより、入札に利用可能な適した財産のリストを有する利用可能な財産ペイン1004を生成する。例えば、利用可能な財産ペイン1004の中にリスト化された財産は、距離ドロップダウンメニュー1010および住所入力ボックス1012によって指定された配置領域の中に位置する。利用可能な財産ペイン1004の中にリスト化された財産領域(複数可)は、アスペクト比入力ボックス1006の中で指定されたアスペクト比の広告に適した大きさである。各利用可能な財産に関連付けられた財産所有者は、カテゴリドロップダウンメニュー1008の中で選択されたカテゴリの中で分類された広告を受け入れる。
【００８７】
財産プレビュー欄1018が利用可能な財産のサムネイル画像を含んでいる。一部の実施例では、利用可能な財産の領域が、財産プレビュー画像の中で視覚的に指定される(例えば、ハイライトされる、輪郭を描かれるなど)。位置欄1020が各利用可能な財産の住所を提供する。例えば、財産プレビュー欄1018の中に提示されたサムネイル画像、および、位置欄1020の中に提示された住所が、オンライン財産管理システム104(図１に示すように)の財産データベース114の中に位置してもよい。
【００８８】
現在の最大受信入札が最大入札欄1022の中に提示される。一部の実施例では、最大受信入札は、財産プレビュー欄1018の中に描かれた財産に対してすでに出された入札に関連する。一部の実施例では、最大受信入札は、広告主が類似した財産に出した入札に関連することができる。例えば、最大受信入札値は、オンライン財産管理システム104(図１に示すように)の入札データベース128の中に置くことができる。入札欄1024が、財産のための新しい入札値を入力する方法を広告主に提供する。広告主がリスト化された財産に関連付けられた入札ボタン1026をアクティブにするとき、入札欄1024の中に入力された入札、又は、新しい入札が入力されない場合、最大入札欄1022の中に提示された最大受信入札が、財産プレビュー欄1018、および、位置欄1020によって記述された財産についての広告主に関連付けられる。例えば、広告主の入札を、入札ボタン1026のアクティブ化によって、オンライン財産管理システム104の入札データベース128の中に入力することができる。
【００８９】
一部の実施例では、広告主が、利用可能な財産ペイン1004の中に提示された各所望の位置について入札を出し続けることができる。一部の実施例では、財産に関する追加の情報(例えば、オークションに出された財産領域について利用可能な日数)が、財産プレビュー欄1018の中に提示された画像を選択する(例えば、クリックしたり、カーソルを重ね合わせたりなど)ことによって利用可能である。利用可能な財産ペイン1004の中にリスト化された追加の財産は、スクロールバー1028を使用することによってアクセスすることができる。
【００９０】
図11は、オンライン３次元又はパノラマの不動産の中の広告を管理するための例のシステムアーキテクチャ1100を図示したブロック図である。システムアーキテクチャ1100は、１又は複数のプロセッサ1102、１又は複数のネットワーク又は通信インターフェース1106、データベース1104および1110、管理コンピュータ1108、メモリ1112、これらのコンポーネントを相互接続するデータバス1114を備えている。
【００９１】
管理コンピュータ1108は、キーボードおよびマウスなどの入力装置、ディスプレイ(図示せず)などの出力装置を備えてもよい。管理コンピュータ1108から、管理コンピュータはオンライン財産管理システムを管理してもよい。
【００９２】
データベース1104および1110は、それぞれ広告データおよび不動産画像データを格納してもよい。広告データは財産に関連付けられた情報(例えば、財産のタイプ、財産の位置、ビジネス情報、現在の販売促進など)を含んでいる。不動産画像データは、画像データの中で関心領域を識別するデータと、それぞれの不動産画像の位置(例えば、住所、GPS位置)を識別するデータとを伴う不動産(例えば、街区、トラフィック表示など)のパノラマ又は３次元の画像を含むことができる。
【００９３】
メモリ又はコンピュータ読み取り可能な記録媒体1112が、システム機能を実行するためのオペレーティングシステム1116、１又は複数のネットワークを通して他のコンピュータ又はデバイスと通信するためのネットワーク通信モジュール1118、さまざまな財産のための広告情報を収集および維持するための財産情報管理エンジン1120、不動産画像データベース1110の中に含まれたそれぞれの財産の所有者を検証するための財産所有者検証エンジン1122、個別の財産の境界および財産の中の販売促進特徴を識別するための画像特徴認識エンジン1124、不動産画像の上にオーバーレイするための販売促進画像を受け入れ、かつ、調整するための販売促進画像管理エンジン1126、広告配置のための不動産画像の中で関心領域を管理し、かつ、これらの関心領域についての入札機械を提供するために広告主と財産所有者とをインターフェースするための不動産入札エンジン1127、広告データ、財産データ、および、さらなる処理中の入札データを格納するためのファイルシステム1128を格納してもよい。
【００９４】
図12は、一般のコンピュータデバイス1200および一般のモバイルコンピュータデバイス1250の例を示している(上で説明された方法で使用してもよい)。コンピュータデバイス1200は、さまざまな形態のデジタルコンピュータを表すことを意図している(例えば、ラップトップ、デスクトップ、ワークステーション、携帯情報端末、テレビセットトップボックス、サーバ、ブレードサーバ、メインフレーム、他の適切なコンピュータ)。コンピュータデバイス1250は、さまざまな形態のモバイルデバイスを表すことを意図している(例えば、携帯情報端末、携帯電話、スマートフォン、および他の同様のコンピュータデバイス)。本明細書に示されたコンポーネント、それらの接続および関係、およびそれらの機能は、単に典型例であることを意図されており、説明された実施例、及び/又は請求項を限定することは意図されていない。
【００９５】
コンピュータデバイス1200は、プロセッサ1202、メモリ1204、記憶装置1206、メモリ1204と高速拡張ポート1210とを接続する高速インターフェース1208、および低速バス1214と記憶装置1206とを接続する低速インターフェース1212を備えている。それぞれのコンポーネント1202、1204、1206、1208、1210、および1212は、さまざまなバスを使用することで相互接続されて、かつ、共通のマザーボード又は他の方法で適宜取り付けてもよい。プロセッサ1202はコンピュータデバイス1200の中の実行のための命令を処理することができる(高速インターフェース1208に結合されたディスプレイ1216などの外部の入力/出力装置のGUIのためにグラフィカルな情報を表示するために、メモリ1204又は記憶装置1206に格納された命令を含んでいる)。他の実施例では、複数のプロセッサ、及び/又は、複数のバスを、複数のメモリおよびメモリのタイプと共に適宜使用してもよい。また、複数のコンピュータデバイス1200は、必要なオペレーションの部分を提供する各デバイスと接続してもよい(例えば、サーババンク、ブレードサーバのグループ、又はマルチプロセッサシステム)。
【００９６】
メモリ1204はコンピュータデバイス1200の中に情報を格納する。１実施例では、メモリ1204は１又は複数の揮発性メモリユニットである。別の実施例では、メモリ1204は、１又は複数の不揮発性メモリユニットである。また、メモリ1204は、磁気又は光ディスクなどの別の形態のコンピュータ読み取り可能な記録媒体であってよい。
【００９７】
記憶装置1206は、コンピュータデバイス1200のための大容量記憶を提供することができる。１実施例では、記憶装置1206は、ストレージエリアネットワーク又は他の構成でデバイスを含んでいるコンピュータ読み取り可能な記録媒体であるか、又は、それを含んでもよい(例えば、フロッピー(登録商標)ディスクデバイス、ハードディスクデバイス、光ディスクデバイス、又は、テープ装置、フラッシュメモリ、又は、他の同様の固体記憶装置、又は、デバイスのアレイ)。明白にコンピュータプログラム製品を情報担体で具体化することができる。また、コンピュータプログラム製品は、実行されたとき、上で説明されたものなどの１又は複数の方法を実行する命令を含んでもよい。情報担体は、コンピュータ又は機械読み取り可能な記録媒体である(例えば、メモリ1204、記憶装置1206、プロセッサ1202上のメモリ、又は伝搬された信号)。
【００９８】
高速コントローラ1208は、コンピュータデバイス1200のための帯域幅集中オペレーション(bandwidth-intensive operation)を管理し、一方で低速コントローラ1212はより低い帯域幅集中オペレーションを管理する。機能のそのような配分は単に典型例である。1実施例では、高速コントローラ1208が、メモリ1204、ディスプレイ1216(例えば、グラフィックスプロセッサ又はアクセラレータを通して)、および高速拡張ポート1210に結合され、さまざまな拡張カード(図示せず)を受け入れてもよい。実施例では、低速コントローラ1212は、記憶装置1206および低速拡張ポート1214に結合される。低速拡張ポート(さまざまな通信ポート(例えば、USB、ブルートゥース、イーサネット(登録商標)、無線イーサネット(登録商標))を含んでもよい)を、例えば、ネットワークアダプターを通して、１又は複数の入力/出力装置(例えば、ポインティングデバイス1230、プリンタ1232、キーボード1234、スキャナ1236、又は、スイッチ又はルータなどのネットワークデバイス1237)に結合してもよい。
【００９９】
コンピュータデバイス1200は、図に示されているように、多くの異なった形態で実装してもよい。例えば、それは標準サーバ1220として実装してもよい(又はそのようなサーバのグループにおける複数の回)。また、それはラックサーバシステム1224の一部として実装してもよい。さらに、それはラップトップコンピュータ1222などのパーソナルコンピュータで実装してもよい。代わりに、コンピュータデバイス1200からのコンポーネントは、デバイス1250などのモバイルデバイス(図示せず)の他のコンポーネントと組み合わせてもよい。そのようなデバイスのそれぞれはコンピュータデバイス1200、1250のうちの１又は複数を含んでよく、かつ、全体のシステムは、相互に通信する複数のコンピュータデバイス1200、1250で構成してもよい。
【０１００】
コンピュータデバイス1250は、他のコンポーネントの中でも、プロセッサ1252、メモリ1264、ディスプレイ1254などの入力/出力装置、通信インターフェース1266、トランシーバー1268を含んでいる。また、追加的な記憶装置を提供するために、マイクロドライブ(microdrive)又は他のデバイスなどの記憶装置をデバイス1250に設けてもよい。それぞれのコンポーネント1250、1252、1264、1254、1266、および1268は、さまざまなバスを使用することで相互接続されて、かつ、いくつかのコンポーネントを共通のマザーボード又は他の方法で適宜取り付けてもよい。
【０１０１】
プロセッサ1252は、メモリ1264に格納された命令を含む、コンピュータデバイス1250の中の命令を実行することができる。プロセッサは、別々で複数のアナログおよびデジタルプロセッサを含んでいるチップのチップセットとして実装してもよい。例えば、プロセッサは、デバイス1250の他のコンポーネントの調整のために提供してもよい(例えば、ユーザインターフェースの制御、デバイス1250により実行されるアプリケーション、および、デバイス1250による無線通信)。
【０１０２】
プロセッサ1252は、ディスプレイ1254に結合されたコントロールインタフェース1258およびディスプレイインタフェース1256を通して、ユーザと通信してもよい。例えば、ディスプレイ1254は、TFT(薄膜トランジスタ液晶ディスプレイ)ディスプレイ、又は、OLED(有機発光ダイオード)ディスプレイ、又は他の適切なディスプレイ技術であってよい。ディスプレイインタフェース1256は、グラフィカル又は他の情報をユーザに提示するように、ディスプレイ1254を駆動するための適切な回路を具備してもよい。コントロールインタフェース1258は、ユーザからコマンドを受信し、かつ、プロセッサ1252への提出のためにそれらを変換してもよい。さらに、他のデバイスとのデバイス1250の近い領域の通信を可能にするために、外部インターフェース1262は、プロセッサ1252との通信を行ってもよい。例えば、外部インターフェース1262は、一部の実施例では有線の通信、又は、他の実施例では無線通信を提供してもよく、かつ、複数のインターフェースを使用してもよい。
【０１０３】
メモリ1264はコンピュータデバイス1250の中に情報を格納する。メモリ1264は、１又は複数のコンピュータ読み取り可能な記録媒体、１又は複数の揮発性メモリユニット、又は、１又は複数の不揮発性メモリユニットのうちの１又は複数として実装することができる。また、拡張メモリ1274を、拡張インターフェース1272を通してデバイス1250に設け、かつ、接続してもよい(例えば、SIMM(シングルインラインメモリモジュール)カードインタフェースを含んでもよい)。そのような拡張メモリ1274は、付加的な記憶スペースをデバイス1250に提供するか、又は、デバイス1250のためにアプリケーション又は他の情報を格納してもよい。特に、拡張メモリ1274は、上で説明されたプロセスを実行するか、又は補うための命令を含んでよく、かつ、安全な情報も含んでもよい。したがって、例えば、拡張メモリ1274は、デバイス1250のためのセキュリティモジュールとして設けてもよく、かつ、デバイス1250の安全な使用を可能にする命令でプログラムしてもよい。さらに、安全なアプリケーションを、追加情報と共にSIMMカードを通して提供してもよい(例えば、不正侵入不可能な方法でSIMMカードに身元が分かる情報を置く)。
【０１０４】
例えば、メモリは、以下で論じるように、フラッシュメモリ、及び/又は、NVRAMメモリを含んでもよい。１実施例では、コンピュータプログラム製品は明白に情報担体に具体化される。コンピュータプログラム製品は、実行されるとき、上で説明されたものなどの１又は複数の方法を実行する命令を含んでいる。情報担体は、コンピュータ又は機械の読み取り可能な媒体である(例えば、メモリ1264、拡張メモリ1274、プロセッサ1252上のメモリ、又は、例えば、トランシーバー1268又は外部インターフェース1262で受信される伝搬された信号)。
【０１０５】
デバイス1250は、通信インターフェース1266を通じてワイヤレスに通信してもよい(必要であるところにデジタル信号処理回路を含んでもよい)。通信インターフェース1266は、さまざまなモード又はプロトコルの下で通信を提供してもよい(例えば、特に、GSM音声通話、SMS、EMS、又は、MMSメッセージング、CDMA、TDMA、PDC、WCDMA、CDMA2000、又は、GPRS)。例えば、そのような通信は、無線周波数トランシーバー1268を通して発生してもよい。さらに、短い範囲の通信が発生してもよい(例えば、ブルートゥース、WiFi、又は他のそのようなトランシーバー(図示せず)を使用することで)。さらに、GPS(全地球測位システム)受信機モジュール1270は、追加のナビゲーションおよび位置の関連の無線データをデバイス1250に提供してもよい(デバイス1250で動くアプリケーションによって適宜使用してもよい)。
【０１０６】
また、デバイス1250は、聞こえるように、音声コーデック1260を使用することで通信してもよい(ユーザから話された情報を受け取り、かつ、使用可能なデジタル情報にそれを変換してもよい)。音声コーデック1260は、例えば、デバイス1250の受話器で、ユーザのために同様に可聴音を生成してもよい(例えば、スピーカーを通じて)。そのような音は、音声通話からの音を含んでよく、録音された音(例えば、音声メッセージ、音楽ファイルなど)を含んでよく、かつ、デバイス1250上で作動するアプリケーションで生成された音を含んでもよい。
【０１０７】
コンピュータデバイス1250は、図に示されているように、多くの異なった形態で実装してもよい。例えば、それは携帯電話1280として実装してもよい。また、それは、スマートフォン1282、携帯情報端末、又は他の同様のモバイル機器の一部として実装してもよい。
【０１０８】
開示された実施例、他の実施例、および本明細書に記載された機能操作は、デジタル電子回路、又は、コンピュータソフトウェア、ファームウェア、又はハードウェアで実装することができる(本明細書に開示された構造およびそれらの構造的な同等物、又はそれらのうちの１又は複数の組み合わせを含んでいる)。開示されたおよび他の実施例は、１又は複数のコンピュータプログラム製品として実装することができる(すなわち、データ処理装置による(又は、そのオペレーションを制御する)実行のためにコンピュータ読み取り可能な記録媒体上に符号化されたコンピュータプログラム命令の１又は複数のモジュール)。コンピュータ読み取り可能な媒体は、機械読み取り可能な記憶装置、機械読み取り可能な記憶基板、メモリデバイス、機械読み取り可能な伝搬された信号に作用することの構成、又は、１又は複数のそれらの組み合わせである。「データ処理装置」という用語は、データを処理するためのすべての装置、デバイス、および機械を包含する(一例として、プログラム可能なプロセッサ、コンピュータ、又は、マルチプロセッサ又はコンピュータを含む)。装置は、ハードウェアに加えて、問題のコンピュータプログラムのために実行環境を作成するコード(例えば、プロセッサファームウェア、プロトコルスタック、データベース管理システム、オペレーティングシステム、又は、それらのうちの１又は複数の組み合わせを構成するコード)を含むことができる。伝搬された信号は、適した受信機装置への伝送のため情報を符号化するために生成される人工的に生成された信号(例えば、機械で生成された電気、光、又は電磁信号)である。
【０１０９】
コンピュータプログラム(また、プログラム、ソフトウェア、ソフトウェアアプリケーション、スクリプト、又はコードとして知られている)は、コンパイルされたか又は解釈された言語を含むどんな形態のプログラミング言語でも書くことができ、かつ、スタンドアロンプログラム、又は、モジュール、コンポーネント、サブルーチン、又は、コンピューティング環境における使用に適した他のユニットを含むどんな形態でもそれを展開することができる。コンピュータプログラムは、必ずしもファイルシステムのファイルに対応しない。プログラムは、他のプログラム又はデータ(例えばマークアップ言語ドキュメントに格納された１又は複数のスクリプト)を保持するファイルの一部、問題のプログラムに専用の単一のファイル、又は、複数の連携ファイル(例えば、１又は複数のモジュール、サブプログラム、又はコードの部分を格納するファイル)に格納することができる。コンピュータプログラムは、１つのサイトに位置するか、又は、複数のサイトに渡り分散され、かつ、通信ネットワークにより相互接続される１又は複数のコンピュータで実行されるように展開することができる。
【０１１０】
本明細書で説明されたプロセスおよびロジックフローは、入力データを作動させ、かつ、出力を生成することによって機能を実行するために、１又は複数のコンピュータプログラムを実行する１又は複数のプログラム可能なプロセッサによって実行することができる。また、プロセスおよびロジックフローは、専用論理回路(例えば、FPGA(プログラマブルゲート配列)又はASIC(特定用途向けIC))によって実行することができる(かつ、装置を実装することができる)。
【０１１１】
コンピュータプログラムの実行に適したプロセッサは、例として、一般および専用のマイクロプロセッサの両方、および、どんな種類のデジタルコンピュータの１又は複数のプロセッサを含んでいる。一般に、プロセッサは、リードオンリーメモリ、ランダムアクセスメモリー、又は両方から命令およびデータを受け取る。コンピュータの必須要素は、命令を実行するためのプロセッサと、命令およびデータを格納するための１又は複数のメモリデバイスである。一般に、コンピュータは、データを格納するための１又は複数の大容量記憶装置(例えば、磁気、MOディスク、又は光ディスク)を備えている(又は、データを受信する、データを転送する、又は、両方のために動作可能なように接続されている)。しかし、コンピュータは必ずしもそのようなデバイスを備える必要はない。コンピュータプログラム命令およびデータを格納するのに適したコンピュータ読み取り可能な記録媒体は、すべての形態の不揮発性メモリ、媒体、およびメモリデバイスを含んでいる(一例として、半導体記憶装置(例えば、EPROM、EEPROM、およびフラッシュメモリ)、磁気ディスク(例えば、内部ハードディスク又はリムーバブルディスク)、MOディスク、CD-ROMおよびDVD-ROMディスクを含む)。プロセッサおよびメモリは、専用論理回路によって補うか、又は、組み込むことができる。
【０１１２】
ユーザに相互作用を提供するために、開示された方法は、ユーザに情報を表示するためのディスプレイデバイス(例えば、CRT(ブラウン管)又はLCD(液晶ディスプレイ)モニタ)、および、ユーザが入力をコンピュータに提供することができるキーボードおよびポインティングデバイス(例えば、マウス又はトラックボール)を備えたコンピュータにおいて実装することができる。また、他の種類のデバイスをユーザとの相互作用を提供するために使用することができる(例えば、ユーザに提供されるフィードバックは、どんな形態の感覚フィードバック(例えば、ビジュアル・フィードバック、聴力フィードバック、又は触覚フィードバック)であってもよく、かつ、ユーザからの入力は、音、音声、又は触覚を含むどんな形態でも受け取ることができる)。
【０１１３】
開示された方法は、バックエンドコンポーネント(例えば、データサーバとして)を含んでいるか、又は、ミドルウェアコンポーネント(例えば、アプリケーションサーバ)を含んでいるか、又は、フロントエンドコンポーネント(例えば、ユーザが本明細書に開示されているものの実施例と相互作用することができるグラフィカルユーザーインターフェース又はウェブブラウザを有するクライアントコンピュータ)を含んでいるコンピュータシステム、又は、１又は複数のそのようなバックエンド、ミドルウェア、又はフロントエンドコンポーネントの組み合わせで実装することができる。システムのコンポーネントは、デジタルデータ通信(例えば、通信ネットワーク)のどんな形態又は媒体でも相互接続することができる。通信ネットワークの例は、ローカルエリアネットワーク(LAN)と広域ネットワーク(WAN)(例えば、インターネット)を含んでいる。
【０１１４】
コンピュータシステムはクライアントおよびサーバを含むことができる。クライアントおよびサーバは、一般に相互からリモートであり、かつ、通常は通信ネットワークを通じて相互作用する。クライアントおよびサーバの関係は、それぞれのコンピュータで動いて、かつ、相互にクライアント/サーバ関係を有するコンピュータプログラムによって生じる。
【０１１５】
本明細書は多くの詳細を含んでいるが、これらは特許請求の範囲に関する制限として理解すべきではなく、むしろ特定の実施例に固有の特徴の記述として理解しなければならない。また、別々の実施例との関連で本明細書に開示されているいくつかの特徴は、単一の実施例における組み合わせで実装することができる。また、逆に、単一の実施例との関連で本明細書に開示されているさまざまな特徴は、別々に複数の実施例で、又は、適したサブコンビネーションで実装することができる。そのうえ、特徴は、ある組み合わせで動作するものとして上に説明され、かつ、そのように初めは請求さえされるが、一部の場合、請求された組み合わせからの１又は複数の特徴は、組み合わせから切除することができ、かつ、請求された組み合わせはサブコンビネーション又はサブコンビネーションの変形例に方向付けてもよい。
【０１１６】
同様に、操作が特定の順序で図面に表現されるが、望ましい結果を獲得するために、そのような操作が示された特定の順序又は連続した順序で実行されるか、又は、すべての図示された操作が実行されることが必要であると理解してはならない。ある特定の状況では、マルチタスキングおよび並列処理が有利である。そのうえ、上記した実施例のさまざまなシステムコンポーネントの分離が、すべての実施例におけるそのような分離を必要とすると理解すべきではなく、一般に、説明されたプログラムコンポーネントおよびシステムを、単一のソフトウェア製品の中に一緒に一体化するか、又は、複数のソフトウェア製品の中にパッケージ化することができることを理解しなければならない。
【０１１７】
上に述べたように特定の実施例が説明された。他の実施例も添付の特許請求の範囲の中に含まれている。
【符号の説明】
【０１１８】
100  仮想財産管理システムを実施するための環境
102  財産所有者
104  オンライン財産管理システム
106  ユーザ
108, 122  ウェブサイト
110  ネットワーク
112  リンク付きストリートビュー表示
114  画像データベース
116  財産データベース
118  財産所有者ディレクトリ
120  広告主
124  広告主ディレクトリ
126  オンライン財産オークション
128  入札データベース
【図１】
2011527483.tif 000003
【図２】
2011527483.tif 000004
【図３】
2011527483.tif 000005
【図４】
2011527483.tif 000006
【図５】
2011527483.tif 000007
【図６】
2011527483.tif 000008
【図７】
2011527483.tif 000009
【図８】
2011527483.tif 000010
【図９】
2011527483.tif 000011
【図１０】
2011527483.tif 000012
【図１１】
2011527483.tif 000013
【図１２】
2011527483.tif 000014
【国際調査報告】
2011527483.tif 000015
2011527483.tif 000016